(57)【特許請求の範囲】
【請求項１】
視野中心を中心として視野直径の約２０％の円内を除く視野周辺部分に指標線を配置する焦点板と、
前記視野中心と前記視野周辺部分で視度を調整した際に差が生じることにより、前記視野中心で視度を調整した際に、他の光学系との同焦が取れないレンズ系とを備え、
前記視野周辺部分に配置され、且つ前記焦点板に設けられている前記指標線を基準として観察者の目の視度に合わせる接眼レンズを具備するとともに前記指標線を基準として前記観察者の目の視度に合わせた際に前記他の光学系との同焦が取れるように構成したことを特徴とする顕微鏡。
【請求項２】
前記指標線は、同一平面内で視野中心及び視野周辺の間で移動可能となっていることを特徴とする請求項１記載の顕微鏡。
【請求項３】
前記指標線は、視野絞りと一体的に構成したことを特徴とする請求項１乃至２のいずれかに記載の顕微鏡。
【請求項４】
視野中心を中心として視野直径の約２０％の円内を除く視野周辺部分に指標線を配置し、
前記指標線が同一平面内で視野中心及び視野周辺の間で移動可能となっていると共に、光軸方向に移動可能となっていることを特徴とする顕微鏡。
【発明の詳細な説明】
【０００１】
【発明の属する技術分野】
本発明は、明視距離の目安となる指標線を設けた顕微鏡に関する。
【０００２】
【従来の技術】
顕微鏡の光学系では、一般に光学性能は光軸中心が良く、視野周辺が悪くなっており、このため指標線は光軸中心、すなわち視野中心付近の位置するように配置されている。図７はこのように配置した顕微鏡に対して視度調整を行い、この視度調整を行った状態で接眼レンズを覗いた視野を示すものであり、指標線１００が視野中心に位置している。一方、接眼レンズでは、視野中心付近を主に観察するため、指標線が視野中心にある場合には、指標線と観察対象とが重なり合い、この重なり合いによって観察が煩わしくなっている。従って観察時には、指標線を見えなくする必要があり、実公平２−１９７７１号公報、特開平２−１８５１２号公報には、このための従来技術が記載されている。
【０００３】
実公平２−１９７７１号公報では、プリズムの接合傾斜面の反射率の高い物質を蒸着させることによって指標線を形成している。そして、このプリズムを接眼レンズ系の焦点面に位置するように配置すると共に、指標線を照明する光源をプリズムの近傍に設置している。さらに、光源に輝度調整を行う調光機構を取り付けて、接眼レンズ系を支持するボックス内に移動可能にセットすることによって、視野内で指標線を出没自在としている。
【０００４】
この装置では、観察者の目の調整力限界を超えるまで接眼レンズを光軸方向に移動させることによって、指標線を視野から消し去り、この状態で観察対象を観察するものである。
【０００５】
特開平２−１８５１２号公報では、顕微鏡等の光学系の接眼レンズの視野内に動的光錯乱効果を有する液晶部材を設け、この液晶部材と接眼レンズとの相対間隔を調整自在としている。
【０００６】
液晶部材は給電しない状態では、通常の平面ガラスと同様な透明となっているが、電圧を印加すると、摺りガラス状のマット面に変化して、入射光を散乱させる。この装置は、この液晶部材の特性を利用するものであり、液晶部材に電圧が印加されない部分を設けて指標線としている。これにより電圧の印加で指標線を出没自在とするものである。
【０００７】
【発明が解決しようとする課題】
しかしながら、実公平２ー１９７７１号公報の方法を、視度調整を行った後、指標線と観察対象のピントとを一致させ、同時に写真・ＴＶ等の他の光学系のピントも一致するようにした光学機器に適用した場合、指標線を視界から消し去ったのでは、視度調整を行って同焦を取ったのにも関わらず、同焦をずらすため、写真・ＴＶ等の他の光学系にピントズレが生じる問題がある。
【０００８】
特開平２−１８５１２号公報では、電圧印加の有無によって指標線の出没ができ、視度調整後の観察時の煩わしさが解消されるが、液晶部材を必要とすると共に、電気的な接続が必要となるため、構造が複雑になる問題を有している。
【０００９】
本発明はこのような従来の技術が有する問題点を考慮してなされたものであり、簡単な構造にもかかわらず、同焦調整を行うのに充分な機能を有し、且つ、同焦関係を維持したままで視野中心部分の観察における指標線を見る煩わしさを軽減できる顕微鏡を提供することを目的とする。
【００１０】
【課題を解決するための手段】
上記目的を達成するため、請求項１の発明は、視野中心を中心として視野直径の約２０％の円内を除く視野周辺部分に指標線を配置する焦点板と、  視野中心と視野周辺部分で視度を調整した際に差が生じることにより、視野中心で視度を調整した際に、他の光学系との同焦が取れないレンズ系とを備え、視野周辺部分に配置され、且つ焦点板に設けられている指標線を基準として観察者の目の視度に合わせる接眼レンズを具備するとともに指標線を基準として観察者の目の視度に合わせた際に他の光学系との同焦が取れるように構成したことを特徴とする。
【００１１】
請求項４の発明は、視野中心を中心として視野直径の約２０％の円内を除く視野周辺部分に指標線を配置し、指標線が同一平面内で視野中心及び視野周辺の間で移動可能となっていると共に、光軸方向に移動可能となっていることを特徴とする。
【００１６】
【発明の実施の形態】
（実施の形態１）
図１は本発明の実施の形態１が適用される顕微鏡の接眼レンズ系１を示す。
筒状のレンズ枠２に第１群レンズ３ａが支持されている。このレンズ枠２は、支持筒４の一端側から内部に挿入され、固定されている。支持筒４の他端の内周部にはねじ部５が形成されている。移動筒６は、その内部に第２群レンズ３ｂが支持されており、レンズ枠２側の一端の外周面に形成されたねじ部により支持筒４のねじ部５に螺合している。また、移動筒６の他端には、アイシェード７が嵌め込みによって固定されている。
この構造では、移動筒６またはこれと一体のアイシェード７を回転操作することによって第１群レンズ３ａに対して第２群レンズ３ｂが光軸方向に移動し、視度調整が行われる。なお、支持筒４を不図示の顕微鏡の接眼レンズ取付部に挿入することにより、接眼レンズ系１が顕微鏡に装着される。
【００１７】
この構造において、支持筒４の内部には、焦点板８が設けられると共に、焦点板８が接する支持筒４の内部が光軸方向に突出することによって視野絞り９が形成されている。さらに焦点板８には、指標線が設けられている。
【００１８】
図２はこの実施の形態の指標線１０の配置を示す。同図は視度調整を行った後に接眼レンズを覗いたときの視野を示し、指標線１０は視野周辺部分に位置するように、焦点板８に設けられている。この配置位置は視野中心を中心とし、視野直径の約２０％の円内を除く周辺部分となっている。視野直径の２０％以内に配置した場合には、観察対象の観察時に、観察対象と同時に指標線が見え易くなって好ましくないためである。
【００１９】
この実施の形態において、光学設計上、視野周辺まで十分に収差が取り切れずに、視野中心部分で視度を調整した時との差が生じ、これにより写真・ＴＶ系などの他の光学系との同焦が取れない場合には、予め焦点板９の位置を同焦差の分だけ光軸方向に移動させておくか、写真・ＴＶ系などの他の光学系の胴付面を同焦差の分だけ移動させておいて同焦を取るようにすれば良い。
【００２０】
このような実施の形態では、指標線が予め視野周辺方向に設けられているため、視野中心部の観察対象を観察する際に指標線が見にくくなり、指標線を同時に見る煩わしさが軽減できる。又、第１群レンズ３ａ又は／及び第２群レンズ３ｂに明るさ絞りを取り付けて絞りの大きさを可変することも可能であり、この明るさ絞りを調整することにより指標線を完全に視野から消し去ることができる。さらに、完全に同焦が取れなかった場合、観察者の目の調整能力により、指標線と観察対象の焦点が交錯することを防ぎ、これにより観察による目の疲労を軽減することができる。
【００２１】
（実施の形態２）
図３は実施の形態２における視野絞り９′を示し、リング状に成形されている。この実施の形態では、視野絞り９′を図１に示した焦点板８の代わりに使用するものであり、内径部分にはスリット状の凹部１１を複数備えている。凹部１１は視野絞り９′の中心に対し、９０度間隔で設けられており、指標線となる。なお、この実施の形態では凹部となっているが、指標線としての役割を果たす構造であれば形状は問わない。
【００２２】
この実施の形態では、実施の形態１と同様の効果を有し、さらに、視野絞り自体が指標線の役割をも果たすため、視野周辺の一部を利用して行っていた視度調整を視野全体を使用して行うことができ、これにより視認性が向上する効果がある。
【００２３】
（実施の形態３）
図４は実施の形態３を示す。この実施の形態は、図１に示す実施の形態１における焦点板に視野絞りの機能を付加したものである。本実施の形態の焦点板は、図１の焦点板８に外周から中心方向に一定の幅をなした視野絞り部１２を設けたものとなっており、その内径部分１３には、指標線１４を備えている。従って、このような実施の形態は実施の形態２と同様の効果を有することができる。
【００２４】
（実施の形態４）
図５は実施の形態４を示す。本実施の形態は、図１に示す実施の形態１において焦点板を光軸に対して垂直な方向に移動可能にしたものであり、図５は焦点板が組み込まれている部分を切り出して図示している。同図において、１５は焦点板である。この焦点板１５は指標線が形成された状態でスライダ１６に取り付けられている。スライダ１６は接眼レンズ系の支持筒４１に形成したガイド１７に取り付けられ、ガイド１７に沿って水平方向に移動する。このスライダ１６の移動によって、焦点板１５は視野中心部及び視野周辺部の間での移動が可能となっている。このような実施の形態では、スライダ１６の水平面内での移動によって、指標線が視野中心部及び視野周辺部に移動するため、観察時には指標を見えにくくできるとともに、視度調整を従来通りの感覚で行うことができ、このため操作上の違和感がない。
【００２５】
（実施の形態５）
図６は実施の形態５を示す。本実施の形態は、図１に示す実施の形態１において焦点板を光軸に対して垂直な方向及び光軸に沿った方向に同時に移動するようにしたものであり、図６は焦点板が組み込まれている部分を切り出して図示している。同図において、１５は焦点板であり、枠体１８に取り付けられている。この枠体１８は支持筒１９に回転可能に取り付けられており、支持筒１９には斜めに傾斜したカム溝２０が形成され、このカム溝２０を枠体１８からのレバー２４が挿通している。なお、焦点板１５の中央部分には指標線２１が形成されるものである。
【００２６】
この実施の形態において、接眼レンズ系の光軸中心、焦点板１５の指標線２１の中心２２、枠体１８の中心２３の位置関係は、指標線の中心２２と、枠体の中心２３は非一致であり、且つ接眼レンズの光軸と枠体１８の中心は非一致となるように設定される。なお、図６は、指標線は接眼レンズ光軸とほぼ合致し、かつ視認可能な位置にあって、視度調整が可能な状態を示している。
【００２７】
このような構造において、図６に示す状態からレバー２４を摘んで接眼レンズのカム溝２０に沿って動かすと、枠体１８が支持筒１９内で回転する。このとき、上述したように、接眼レンズの光軸中心、焦点板１５の指標線２１の中心２２、枠体１８の中心２３の位置関係を有しているため、接眼レンズを覗くと、指標線２１は指標線中心２２と枠体１８の中心２３の間の距離を半径とする円弧を描いて移動する。
【００２８】
これに加えて、カム溝２０は枠体１８が光軸方向にも移動するよう斜めに設けているので、指標線２１は円弧を描き、視野周辺に移動しながら次第に見えなくなる。この場合、枠体１８の移動端で指標線の中心と光軸を一致させるとき、枠体１８が接眼レンズ内に設けた図示しない突当て面に当たり正確な位置で安定するようにばねを設けても良い。また、レバー２４を逆方向に動かすことにより、逆の動作が行われる。このような実施の形態では、指標線が光軸方向にも移動可能に設けられているため、観察時には指標を見えなくすることができるとともに、視度調整をする時は、従来通りの感覚で行うことができ、違和感がない。
【００２９】
以上の本発明は、以下の発明をも包含するものである。
（１）指標線を視野絞りに配置したことを特徴とし、これにより、指標線は視野絞りの機能を兼ね備えたものとなる。
（２）  指標線を視野絞り機能を有した焦点板に設けたことを特徴とし、これにより、指標線が視野絞り機能を備えることができる。
【００３０】
【発明の効果】
本発明は、接眼レンズ系の指標線を視野周辺に設けるため、視野中心部分の観察を行う際に指標線が見えなくなるので、観察時の煩わしさを軽減できる。又、完全に同焦が取り切れなかった場合、観察者の目の調整能力により、指標線と観察対象の焦点が交錯することも防止できる。従って、例えば、手術用顕微鏡のように長時間、微細部位を注視して手術をするような使用に対しては、術者の疲労を軽減することができる。
【図面の簡単な説明】
【図１】本発明の実施の形態１の接眼レンズ系の断面図である。
【図２】実施の形態１の視度調整後の指標線の位置を示す正面図である。
【図３】実施の形態２の指標線を示す正面図である。
【図４】実施の形態３の指標線を示す正面図である。
【図５】実施の形態４の斜視図である。
【図６】実施の形態５の斜視図である。
【図７】従来の指標線の配置を示す正面図である。
【符号の説明】
１    接眼レンズ系
２    レンズ枠
３ａ  第１群レンズ
３ｂ  第２群レンズ
４    支持筒
６    移動筒
８    焦点板
９，９′  視野絞り
１０  指標線
【図１】
0003930925.tif 000002
【図２】
0003930925.tif 000003
【図３】
0003930925.tif 000004
【図４】
0003930925.tif 000005
【図５】
0003930925.tif 000006
【図６】
0003930925.tif 000007
【図７】
0003930925.tif 000008